(57)【特許請求の範囲】
【請求項１】
平面部の四辺から下方に折り曲げて形成されたリブを有し、各リブに両端部の高さが他の部分より低くなるような段差部を設け、
前記平面部の四辺の各辺上における前記各リブの前記他の部分に対応する長さ範囲内であって、かつ、互いに対向する辺の長さ方向における互いに異なる位置に、平面部とリブの両方にまたがって形成され、ドライバー等の工具が前記平面部に対して傾斜方向に挿入可能な開口部を設けたことを特徴とするフリーアクセスフロア用パネル。
【請求項２】
前記開口部は前記平面部の四辺の各辺の中央部から外れた位置に設けたことを特徴とする請求項１に記載のフリーアクセスフロア用パネル。
【請求項３】
前記開口部は前記平面部の四辺の各辺の中央部から同じ時計回り又は反時計回りの方向にずれた位置に設けたことを特徴とする請求項２に記載のフリーアクセスフロア用パネル。
【発明の詳細な説明】
【０００１】
【発明の属する技術分野】
本発明は、二重床構造を構成するフリーアクセスフロアに用いられるフリーアクセスフロア用パネルに関するものである。
【０００２】
【従来の技術】
従来のフリーアクセスフロア用パネルとしては、たとえば特許第２７７８５３８号の公報に係るものがある。この従来のフリーアクセスフロア用パネルには、図４に示すようなフロア用パネル１０が用いられ、このフロア用パネル１０には、その平面部の四辺から直角に折り曲げられた、高さが一定のリブ１０ａが形成されている（図５参照）。
【０００３】
このようなフロア用パネル１０の、平面部の四隅部各々の近傍のリブ１０ａを、図６及び図７に示すような支持脚１３の、凸状のスペーサ１３ａにより隔てられたその両側の凹状の嵌入溝１３ｂに、スペーサ１３ａを挟むようにして嵌入することにより、支持脚１３によるフロア用パネル１０の支持と位置決めが行われるようになっている。
【０００４】
図６に示すように、嵌入溝１３ｂに嵌入したリブ１０ａの高さは嵌入溝１３ｂの深さよりも低いため、リブ１０ａの下側辺は嵌入溝１３ｂの底面に到達しないので、フロア用パネル１０の裏面（図中下面）が支持脚１３の上面１３ｃに接触して、フロア用パネル１０が支持脚１３により安定した状態で支持されるようになっている。
【０００５】
【発明が解決しようとする課題】
しかしながら、上記従来のフロア用パネル１０においては、リブ１０ａを支持脚１３の嵌入溝１３ｂに嵌入させる構造であるため、補修や床下への配線等を行う際には、フロア用パネル１０を支持脚１３から剥がす（取り外す）ことが容易ではないという問題点があった。
【０００６】
このため、フロア用パネル１０を支持脚１３から剥がすためには吸着具などの特殊工具を用いる必要があった。しかしながら、フロア用パネル１０の平面部の強度を高めるために、図８に示すように、フロア用パネル１０の平面部に凹んだ断面を有する（図９参照）直線状の補強エンボス部１０ｂを形成した場合には、吸着具が使用できなくなるという問題を有していた。
【０００７】
そこで本発明は、上記問題点に鑑みて、支持脚に支持されたフロア用パネルを支持脚から容易に剥がすことができるようにしたフリーアクセスフロア用パネルを提供することを課題とするものである。
【０００８】
【課題を解決するための手段】
上記課題を解決するために、本発明によるフリーアクセスフロア用パネルは、
平面部の四辺から下方に折り曲げて形成されたリブを有し、各リブに両端部の高さが他の部分より低くなるような段差部を設け、
前記平面部の四辺の各辺上における前記各リブの前記他の部分に対応する長さ範囲内であって、かつ、互いに対向する辺の長さ方向における互いに異なる位置に、平面部とリブの両方にまたがって形成され、ドライバー等の工具が前記平面部に対して傾斜方向に挿入可能な開口部を設けた構成としたものである。
【０００９】
【発明の実施の形態】
以下、本発明の実施の形態について、図面に基づいて具体的に説明する。
図１ないし図３は、本発明によるフリーアクセスフロア用パネルの一実施の形態について説明するために参照する図である。
【００１０】
図１及び図２に示す本実施の形態に係るフロア用パネル２０は、基本的には前記従来のフロア用パネル１０と同様の構成で、そのフロア用パネル１０と同様のリブ２０ａと補強エンボス部２０ｂを有している。
【００１１】
フロア用パネル２０が従来のフロア用パネル１０と異なる点の１つは、フロア用パネル２０の平面部の四辺から直角に折り曲げて形成された各リブ２０ａの、前記平面部の各隅側の端部に、そのリブ２０ａの中央部より低い高さの段差部２０ｃが形成されていることである。
【００１２】
そして他の異なる点は、フロア用パネル２０の平面部の四辺の各々に四角形の孔２２（開口部）が設けられいることである。この孔２２は前記四辺の中央部から外れた位置に、例えば、各々が中央部から同じ時計回り（又は反時計回り）方向にずれた位置に設けられる。そしてこの孔２２は、上記平面部とリブ２０ａの両方にまたがって形成されている。
【００１３】
このようなフロア用パネル２０によれば、フロア用パネル２０のリブ２０ａの段差部２０ｃが、前記図６に示す支持脚１３の嵌入溝１３ｂに嵌入した場合、その段差部２０ｃの高さは２０ａの中央部より低くなっているため、段差部２０ｃは嵌入溝１３ｂにリブ２０ａより浅く嵌入することになるので、フロア用パネル２０を支持脚１３から剥がし易くすることができる。
【００１４】
また、それでも万一フロア用パネル２０が支持脚１３から剥がれ難い場合は、図３に示すように、孔２２からドライバーのような工具２４を挿し込んで、隣部のフロア用パネル２０の角部を支点にして工具２４を図中時計回り方向に回動させることにより、図中左側のフロア用パネル２０を支持脚１３から容易に引き剥がすことができる。孔２２は上記平面部の四辺の各々に設けたことにより、フロア用パネル２０のどの方向からでも工具２４を孔２２に挿入して、フロア用パネル２０を引き剥がすことができる。
【００１５】
この場合、上述のように孔２２は、フロア用パネル２０の平面部の四辺の各々の中央部から、各々が同じ時計回り（又は反時計回り）方向にずれた位置に設けられることにより、フロア用パネル２０を並べていったときは孔２２の位置は隣合うフロア用パネル２０の孔２２の位置とは必ず互い違いの異なる位置となるので、ドライバーのような工具２４を隣合うフロア用パネル２０の角部を支点にして回動させることが可能となる。このため、孔２２はフロア用パネル２０の四辺の各々の中央部から同じ方向にずれた位置に設けることが望ましい。また、このような孔２２は配線取出し用孔としても使用することができる。
【００１６】
なお、前記実施の形態においては正方形のフロア用パネル２０について説明したが、フリーアクセスフロア用パネルは長方形等の他の形状であってもよい。
【００１７】
また、前記実施の形態においては四角形の孔２２が形成されていたが、その孔の形状は円形等の他の形状であってもよい。
【００１８】
【発明の効果】
以上説明したように、本発明のフリーアクセスフロア用パネルによれば、そのフロア用パネルを支持脚から容易に引き剥がすことができるようにすることができる。
【図面の簡単な説明】
【図１】本発明の一実施の形態に係るフロア用パネル２０の平面部を示す平面図である。
【図２】図１のフロア用パネル２０の側面図である。
【図３】孔２２に工具２４を挿入した状態を示すフロア用パネル２０の部分断面図である。
【図４】従来のフロア用パネル１０の平面部を示す平面図である。
【図５】図４のフロア用パネル１０の側面図である。
【図６】フロア用パネル１０を支持する支持脚１３の側面図である。
【図７】図６の支持脚１３の平面図である。
【図８】他の従来のフロアパネル１０の平面部を示す平面図である。
【図９】図８における補強エンボス部１０ｂのＹ−Ｙ線断面図である。
【符号の説明】
１０  フロア用パネル
１０ａ  リブ
１０ｂ  補強エンボス部
１３  支持脚
１３ａ  スペーサ
１３ｂ  嵌入溝
１３ｃ  上面
２０  フロア用パネル
２０ａ  リブ
２０ｂ  補強エンボス部
２０ｃ  段差部
２２  孔
２４  工具
【図１】
0004047593.tif 000002
【図２】
0004047593.tif 000003
【図３】
0004047593.tif 000004
【図４】
0004047593.tif 000005
【図５】
0004047593.tif 000006
【図６】
0004047593.tif 000007
【図７】
0004047593.tif 000008
【図８】
0004047593.tif 000009
【図９】
0004047593.tif 000010